【手続補正書】
【提出日】令和2年8月13日(2020.8.13)
【手続補正１】
【補正対象書類名】特許請求の範囲
【補正対象項目名】全文
【補正方法】変更
【補正の内容】
【特許請求の範囲】
【請求項１】
商品交換情報処理の方法であって、
サーバが、第１の取引注文における商品交換要求を受け取り、前記商品交換要求に関連付けられた第１のユーザの情報、第２のユーザの情報、及び第１のデータ・オブジェクトの情報を決定することと、
前記第２のユーザについて信用正当性検証を実行することと、
前記検証に合格すると、前記第１のデータ・オブジェクトの情報に従って第２の取引注文を作成し、前記第２の取引注文を前記第１のユーザのクライアントに提供し、その結果、前記第１のユーザが、前記第２の取引注文に従って前記第１のデータ・オブジェクトについて商品配達作業を実行することと
を含む、方法。
【請求項２】
第２の取引注文を前記作成することの後に、
前記第１のデータ・オブジェクトのリソース情報を決定することと、
事前設定された前払いアカウントを使用することによって、前記第２の取引注文におけるリソース前払い作業を実行し、その結果、前記第２の取引注文及び正常な支払い情報を受け取った後に、前記第１のユーザが、前記第１のデータ・オブジェクトについて商品配達作業を実行することと
をさらに含む、請求項１に記載の方法。
【請求項３】
事前設定された前払いアカウントを使用することによって、前記第２の取引注文におけるリソース前払い作業を前記実行することが、
対応するリソース情報を、事前設定された中間アカウントに振替し、正常な支払いについての第１の通知メッセージを前記第１のユーザのクライアントに提供すること
を含む、請求項２に記載の方法。
【請求項４】
戻された第２のデータ・オブジェクトを受け取ったという、前記第１のユーザのクライアントが出した第２の通知メッセージを受け取ると、前記中間アカウントから前記第１のユーザに関連付けられたアカウントに、前記第１のデータ・オブジェクトに対応するリソース情報を振替すること
をさらに含む、請求項３に記載の方法。
【請求項５】
前記第１の取引注文において前記第２のユーザのクライアントが支払う前記リソース情報が、前記中間アカウント内に一時的に記憶され、
前記第２の通知メッセージを受け取るとき、
前記第１の取引注文に関連付けられた前記リソース情報を、前記中間アカウントから前記第２のユーザに関連付けられたアカウントに戻すことと、
前記第２の取引注文に関連付けられた前記リソース情報を、前記第２のユーザに関連付けられた前記アカウントから前記前払いアカウントに振替することと
をさらに含む、請求項４に記載の方法。
【請求項６】
前記第２の取引注文において商品が配達されたという、前記第１のユーザのクライアントが出した第３の通知メッセージを受け取り、配達タスクを実行する物流サービス・プロバイダの情報を決定することと、
前記第１のユーザに関連付けられた第１の住所情報、及び前記第２のユーザに関連付けられた第２の住所情報を決定することと、
あらかじめ記憶された前記物流サービス・プロバイダの様々なサービス・タイプについてのサービス範囲情報に従って、前記物流サービス・プロバイダが、前記第２の住所で集荷サービスを提供し、前記第１の住所で配達サービスを提供できるかどうか判定することと、
肯定の場合、前記第２の取引注文に関連付けられた物流注文をマーキングし、その結果、前記第１のデータ・オブジェクトが前記第２の住所に配達されるとき、配送業者は、前記第２のユーザが戻すべき第２のデータ・オブジェクトについて商品集荷作業を実行し、前記第２のデータ・オブジェクトを前記第１の住所に配送することと
をさらに含む、請求項１に記載の方法。
【請求項７】
第１のユーザの識別子情報、第２のユーザの識別子情報、前記第１の住所情報、及び前記第２の住所情報を、前記物流サービス・プロバイダに提供し、その結果、前記物流サービス・プロバイダが、第２の商品用の配送作業のために受取人及び送り主の電子情報を生成し、前記電子情報を印刷すること
をさらに含む、請求項６に記載の方法。
【請求項８】
前記第２のユーザに信用正当性検証を前記実行することが、
前記第１のデータ・オブジェクトの前記リソース情報、及び前記第２のユーザの信用限度情報を決定することと、
前記第２のユーザの前記信用限度情報が、前記第１のデータ・オブジェクトの前記リソース情報よりも大きいかどうか判定することと、
少なくとも前記判定結果に基づいて、前記検証に合格するかどうか判定することと
を含む、請求項１〜７のいずれか一項に記載の方法。
【請求項９】
少なくとも前記判定結果に基づいて、前記検証に合格するかどうか前記判定することが、
前記判定結果が肯定であり、事前設定された期間内に前記第２のユーザによって開始された商品交換の要求数が、事前設定された閾値より少ない場合、前記検証に合格したと判定すること
を含む、請求項８に記載の方法。
【請求項１０】
第２のユーザのクライアントが、第１の取引注文において申請された商品交換要求を受け取ることと、
前記商品交換要求をサーバに提出し、その結果、前記サーバが、前記商品交換要求に関連付けられた第１のユーザの情報、第２のユーザの情報、及び第１のデータ・オブジェクトの情報を決定し、前記第２のユーザについて信用正当性検証を実行し、前記検証に合格すると、前記第１のデータ・オブジェクトの情報に従って第２の取引注文を作成し、前記第２の取引注文を前記第１のユーザのクライアントに提供し、その結果、前記第１のユーザが、前記第２の取引注文に従って前記第１のデータ・オブジェクトについて商品配達作業を実行することと
を含む、商品交換情報処理の方法。
【請求項１１】
第１のユーザのクライアントが、第１の取引注文において申請された商品交換要求を受け取り、商品を交換することに同意するための作業オプションを提供することと、
前記作業オプションを介して作業命令を受け取ると、通知メッセージをサーバに送出し、その結果、前記サーバが、前記商品交換要求に関連付けられた第１のユーザの情報、第２のユーザの情報、及び第１のデータ・オブジェクトの情報を決定し、前記第２のユーザについて信用正当性検証を実行し、前記検証に合格すると、前記第１のデータ・オブジェクトの情報に従って第２の取引注文を作成し、前記第２の取引注文を戻すことと、
前記第２の取引注文を受け取って、前記第２の取引注文に従って前記第１のデータ・オブジェクトについて商品配達作業を実行することと
を含む、商品交換情報処理の方法。
【請求項１２】
前記第２の取引注文においてリソース情報があらかじめ支払われたという通知メッセージを前記サーバから受け取って、前記通知メッセージに従って前記第１のデータ・オブジェクトについて商品配達作業を実行すること
をさらに含む、請求項１１に記載の方法。
【請求項１３】
あらかじめ支払われた前記リソース情報が、事前設定された中間アカウント内に記憶され、
受領確認の作業を実行するための作業オプションのみを前記第２の取引注文に提供し、その結果、前記第１の取引注文に関連付けられた前記第２のデータ・オブジェクトを受け取ると、受領確認用の通知メッセージが前記作業オプションを介して出されることと、
前記通知メッセージを前記サーバに出し、その結果、前記サーバが、前記第２の取引注文に関連付けられた前記リソース情報を、前記中間アカウントから前記第１のユーザに関連付けられたアカウントに振替することと
をさらに含む、請求項１２に記載の方法。
【請求項１４】
商品交換情報処理の装置であって、
サーバに適用され、
第１の取引注文における商品交換要求を受け取り、前記商品交換要求に関連付けられた第１のユーザの情報、第２のユーザの情報、及び第１のデータ・オブジェクトの情報を決定するように構成された情報決定ユニットと、
前記第２のユーザについて信用正当性検証を実行するように構成された信用正当性検証ユニットと、
前記第２のユーザについての前記信用正当性検証に合格すると、前記第１のデータ・オブジェクトの情報に従って第２の取引注文を作成し、前記第２の取引注文を前記第１のユーザのクライアントに提供し、その結果、前記第１のユーザが、前記第２の取引注文に従って前記第１のデータ・オブジェクトについて商品配達作業を実行するように構成された注文作成ユニットと
を備える、装置。
【請求項１５】
商品交換情報処理の装置であって、
第２のユーザのクライアントに適用され、
第１の取引注文において申請された商品交換要求を受け取るように構成された商品交換要求受取りユニットと、
前記商品交換要求をサーバに出し、その結果、前記サーバが、前記商品交換要求に関連付けられた第１のユーザの情報、第２のユーザの情報、及び第１のデータ・オブジェクトの情報を決定し、前記第２のユーザについて信用正当性検証を実行し、前記検証に合格すると、前記第１のデータ・オブジェクトの情報に従って第２の取引注文を作成し、前記第２の取引注文を前記第１のユーザのクライアントに提供し、その結果、前記第１のユーザが、前記第２の取引注文に従って前記第１のデータ・オブジェクトについて商品配達作業を実行するように構成された要求提出ユニットと
を備える、装置。
【請求項１６】
商品交換情報処理の装置であって、
第１のユーザのクライアントに適用され、
第１の取引注文において申請された商品交換要求を受け取り、商品を交換することに同意するための作業オプションを提供するように構成された商品交換要求受取りユニットと、
前記作業オプションを介して作業命令を受け取ると、通知メッセージをサーバに送出し、その結果、前記サーバが、前記商品交換要求に関連付けられた第１のユーザの情報、第２のユーザの情報、及び第１のデータ・オブジェクトの情報を決定し、前記第２のユーザについて信用正当性検証を実行し、前記検証に合格すると、前記第１のデータ・オブジェクトの情報に従って第２の取引注文を作成し、前記第２の取引注文を戻すように構成された通知ユニットと、
前記第２の取引注文を受け取って、前記第２の取引注文に従って前記第１のデータ・オブジェクトについて商品配達作業を実行するように構成された注文受取りユニットと
を備える、装置。
【請求項１７】
一組の命令を記憶する非一時的コンピュータ可読媒体であって、前記一組の命令は、電子装置に商品交換情報処理の方法を実行させるように、前記装置の少なくとも１つのプロセッサによって実行可能であり、前記方法は、
サーバによって、第１の取引注文における商品交換要求を受け取り、前記商品交換要求に関連付けられた第１のユーザの情報、第２のユーザの情報、及び第１のデータ・オブジェクトの情報を決定することと、
前記第２のユーザについて信用正当性検証を実行することと、
前記検証に合格すると、前記第１のデータ・オブジェクトの情報に従って第２の取引注文を作成し、前記第２の取引注文を前記第１のユーザのクライアントに提供し、その結果、前記第１のユーザが、前記第２の取引注文に従って前記第１のデータ・オブジェクトについて商品配達作業を実行することと
を含む、非一時的コンピュータ可読媒体。
【請求項１８】
第２の取引注文を前記作成することの後に、前記方法が、
前記第１のデータ・オブジェクトのリソース情報を決定することと、
事前設定された前払いアカウントを使用することによって、前記第２の取引注文におけるリソース前払い作業を実行し、その結果、前記第２の取引注文及び正常な支払い情報を受け取った後に、前記第１のユーザが、前記第１のデータ・オブジェクトについて商品配達作業を実行することと
をさらに含む、請求項１７に記載の非一時的コンピュータ可読媒体。
【請求項１９】
事前設定された前払いアカウントを使用することによって、前記第２の取引注文におけるリソース前払い作業を前記実行することが、
対応するリソース情報を、事前設定された中間アカウントに振替し、正常な支払いについての第１の通知メッセージを前記第１のユーザのクライアントに提供すること
を含む、請求項１８に記載の非一時的コンピュータ可読媒体。
【請求項２０】
前記電子装置の前記少なくとも１つのプロセッサによって実行可能な前記一組の命令は、前記電子装置に、
戻された第２のデータ・オブジェクトを受け取ったという、前記第１のユーザのクライアントが出した第２の通知メッセージを受け取ると、前記中間アカウントから前記第１のユーザに関連付けられたアカウントに、前記第１のデータ・オブジェクトに対応するリソース情報を振替すること
をさらに実行させる、請求項１９に記載の非一時的コンピュータ可読媒体。
【請求項２１】
前記第１の取引注文において前記第２のユーザのクライアントが支払う前記リソース情報が、前記中間アカウント内に一時的に記憶され、
前記第２の通知メッセージを受け取るとき、前記方法が、
前記第１の取引注文に関連付けられた前記リソース情報を、前記中間アカウントから前記第２のユーザに関連付けられたアカウントに戻すことと、
前記第２の取引注文に関連付けられた前記リソース情報を、前記第２のユーザに関連付けられた前記アカウントから前記前払いアカウントに振替することと
をさらに含む、請求項２０に記載の非一時的コンピュータ可読媒体。
【請求項２２】
前記電子装置の前記少なくとも１つのプロセッサによって実行可能な前記一組の命令は、前記電子装置に、
前記第２の取引注文において商品が配達されたという、前記第１のユーザのクライアントが出した第３の通知メッセージを受け取り、配達タスクを実行する物流サービス・プロバイダの情報を決定することと、
前記第１のユーザに関連付けられた第１の住所情報、及び前記第２のユーザに関連付けられた第２の住所情報を決定することと、
あらかじめ記憶された前記物流サービス・プロバイダの様々なサービス・タイプについてのサービス範囲情報に従って、前記物流サービス・プロバイダが、前記第２の住所で集荷サービスを提供し、前記第１の住所で配達サービスを提供できるかどうか判定することと、
肯定の場合、前記第２の取引注文に関連付けられた物流注文をマーキングし、その結果、前記第１のデータ・オブジェクトが前記第２の住所に配達されるとき、配送業者は、前記第２のユーザが戻すべき第２のデータ・オブジェクトについて商品集荷作業を実行し、前記第２のデータ・オブジェクトを前記第１の住所に配送することと
をさらに実行させる、請求項１７に記載の非一時的コンピュータ可読媒体。
【請求項２３】
前記電子装置の前記少なくとも１つのプロセッサによって実行可能な前記一組の命令は、前記電子装置に、
第１のユーザの識別子情報、第２のユーザの識別子情報、前記第１の住所情報、及び前記第２の住所情報を、前記物流サービス・プロバイダに提供し、その結果、前記物流サービス・プロバイダが、第２の商品用の配送作業のために受取人及び送り主の電子情報を生成し、前記電子情報を印刷すること
をさらに実行させる、請求項２２に記載の非一時的コンピュータ可読媒体。
【請求項２４】
前記第２のユーザに信用正当性検証を前記実行することが、
前記第１のデータ・オブジェクトの前記リソース情報、及び前記第２のユーザの信用限度情報を決定することと、
前記第２のユーザの前記信用限度情報が、前記第１のデータ・オブジェクトの前記リソース情報よりも大きいかどうか判定することと、
少なくとも前記判定結果に基づいて、前記検証に合格するかどうか判定することと
を含む、請求項１７〜２３のいずれか一項に記載の非一時的コンピュータ可読媒体。
【請求項２５】
少なくとも前記判定結果に基づいて、前記検証に合格するかどうか前記判定することが、
前記判定結果が肯定であり、事前設定された期間内に前記第２のユーザによって開始された商品交換の要求数が、事前設定された閾値より少ない場合、前記検証に合格したと判定すること
を含む、請求項２４に記載の非一時的コンピュータ可読媒体。
【請求項２６】
一組の命令を記憶する非一時的コンピュータ可読媒体であって、前記一組の命令は、電子装置に商品交換情報処理の方法を実行させるように、前記装置の少なくとも１つのプロセッサによって実行可能であり、前記方法は、
第２のユーザのクライアントが、第１の取引注文において申請された商品交換要求を受け取ることと、
前記商品交換要求をサーバに提出し、その結果、前記サーバが、前記商品交換要求に関連付けられた第１のユーザの情報、第２のユーザの情報、及び第１のデータ・オブジェクトの情報を決定し、前記第２のユーザについて信用正当性検証を実行し、前記検証に合格すると、前記第１のデータ・オブジェクトの情報に従って第２の取引注文を作成し、前記第２の取引注文を前記第１のユーザのクライアントに提供し、その結果、前記第１のユーザが、前記第２の取引注文に従って前記第１のデータ・オブジェクトについて商品配達作業を実行することと
を含む、非一時的コンピュータ可読媒体。
【請求項２７】
一組の命令を記憶する非一時的コンピュータ可読媒体であって、前記一組の命令は、電子装置に商品交換情報処理の方法を実行させるように、前記装置の少なくとも１つのプロセッサによって実行可能であり、前記方法は、
第１のユーザのクライアントが、第１の取引注文において申請された商品交換要求を受け取り、商品を交換することに同意するための作業オプションを提供することと、
前記作業オプションを介して作業命令を受け取ると、通知メッセージをサーバに送出し、その結果、前記サーバが、前記商品交換要求に関連付けられた第１のユーザの情報、第２のユーザの情報、及び第１のデータ・オブジェクトの情報を決定し、前記第２のユーザについて信用正当性検証を実行し、前記検証に合格すると、前記第１のデータ・オブジェクトの情報に従って第２の取引注文を作成し、前記第２の取引注文を戻すことと、
前記第２の取引注文を受け取って、前記第２の取引注文に従って前記第１のデータ・オブジェクトについて商品配達作業を実行することと
を含む、非一時的コンピュータ可読媒体。
【請求項２８】
前記電子装置の前記少なくとも１つのプロセッサによって実行可能な前記一組の命令は、前記電子装置に、
前記第２の取引注文においてリソース情報があらかじめ支払われたという通知メッセージを前記サーバから受け取って、前記通知メッセージに従って前記第１のデータ・オブジェクトについて商品配達作業を実行すること
をさらに実行させる、請求項２７に記載の非一時的コンピュータ可読媒体。
【請求項２９】
前記電子装置の前記少なくとも１つのプロセッサによって実行可能な前記一組の命令は、前記電子装置に、
受領確認の作業を実行するための作業オプションのみを前記第２の取引注文に提供し、その結果、前記第１の取引注文に関連付けられた前記第２のデータ・オブジェクトを受け取ると、受領確認用の通知メッセージが前記作業オプションを介して出されることと、
前記通知メッセージを前記サーバに出し、その結果、前記サーバが、前記第２の取引注文に関連付けられた前記リソース情報を、前記中間アカウントから前記第１のユーザに関連付けられたアカウントに振替することと
をさらに実行させる、請求項２８に記載の非一時的コンピュータ可読媒体。